(57)【要約】【課題】十分な免震効果を有し、安価に施工でき、上床の水平性も十分確保できる免震二重床を提供する。【解決手段】台部と、台部から立設した支柱と、支柱上部に水平に支持される受板を有し、該受板上面に球体を回転可能に装備し、該球体の頂部で上床の下面を支持することで、上床が足部材に対してスライド可能となる足部材と、内面に曲面状凹部を有する上側部材と下側部材が、前記凹部内にタブレット形の転動部材が装入されていることで間隔を有して上下に対向している免震装置によって、上床を支持することで、前記課題を解決する。【選択図】      図７
2013234485.tif 000002
【特許請求の範囲】
【請求項１】
下床上に多数設置されて上床を支持する二重床の足部材であって、
台部と、台部から立設した支柱と、支柱上部に水平に支持される受板を有し、
該受板上面に球体を回転可能に装備し、該球体の頂部で上床の下面を支持することで、上床が足部材に対してスライド可能となることを特徴とする足部材。
【請求項２】
前記受板の上面に、前記球体の移動を制限する凸部又は凹部を有する請求項１に記載の足部材。
【請求項３】
下床上に多数設置されて上床を支持する二重床の足部材であって、
台部と、台部から立設した支柱と、支柱上部に水平に支持される受板を有し、
前記台部の底面に球体を回転可能に装備し、該球体の下端が下床面に接することで、足部材が下床上をスライド可能となることを特徴とする足部材。
【請求項４】
前記台部の底面に、前記球体の移動を制限する凸部又は凹部を有する請求項３に記載の足部材。
【請求項５】
前記台部の底面が、前記球体の落下を防止するカバーで覆われている請求項３又は４に記載の足部材。
【請求項６】
請求項１〜５に記載のいずれかの足部材と、
内面に曲面状凹部を有する上側部材と下側部材が、前記凹部内にタブレット形の転動部材が装入されていることで間隔を有して上下に対向している免震装置を、適宜間隔で下床上に配置し、該足部材及び免震装置により上床を支持することで、地震時に上床が下床に対してスライドすることを特徴とする免震二重床。
【請求項７】
前記足部材の数が、前記免震装置の数の５倍以上である請求項６に記載の免震二重床。
【請求項８】
壁の内周に沿って任意幅のスライド不能な外周床を形成し、該外周床と同じ高さの請求項６又は７に記載の免震二重床を、外周床の内側に、所定間隔をあけて形成し、免震二重床と外周床の間をスライドプレートで覆った二重床構造であって、スライドプレートが前記免震二重床に固定されていると共に、前記外周床の内周部を覆っており、地震時に前記免震二重床及びスライドプレートが外周床に対してスライドすることを特徴とする二重床構造。
【発明の詳細な説明】
【技術分野】
【０００１】
本発明は、建造物のコンクリートスラブなどの下床の上に設置して上床を支持する足部材、及びこの足部材を用いた免震二重床に関する。
【背景技術】
【０００２】
地震時の揺れを低減する免震二重床は、下記特許文献１，２などに開示されている。
下記特許文献１は、下床の上に台座、フッ素樹脂板、ステンレス板を順次載置し、その上に溝形鋼などでフレームを形成し、その上に上床を施工するものである。地震時に、フッ素樹脂板とステンレス板が滑動するので、下床の横揺れに対してフレーム及び上床の横揺れが低減する。
【０００３】
下記特許文献２は、下床上に弾性変形する球体を多数載置し、その上に上床を施工するものである。上床の外周は弾性バネで壁に接続されるため、地震時に上床が下床に対してスライドし、揺れを低減する。
【０００４】
また、下記特許文献３には、構造物と基礎部材の間に介装着され、構築物を地震から保護する免震装置で、内面に曲面状凹部を有する上側部材と下側部材が、前記凹部内にタブレット形の転動部材が装入されていることで間隔を有して対向しているものが開示されている。
【先行技術文献】
【特許文献】
【０００５】
【特許文献１】特開平５−１８０９８
【特許文献２】特開２００４−３１６４２０
【特許文献３】特開２００６−２８３９５９
【発明の概要】
【発明が解決しようとする課題】
【０００６】
前記特許文献１の二重床は、フッ素樹脂板とステンレス板の滑動抵抗が大きいため、十分な免震効果が期待できず、また、溝形鋼などのフレームの上に上床を形成するので、上床の高さが高くなり、コスト高となる。
【０００７】
前記特許文献２の二重床は、弾性変形する球体の上に上床を設けるので、積載荷重により上床が沈み込み、上床面の水平性が確保できないという致命的な欠点を有する。
【０００８】
本発明は、十分な免震効果を有し、安価に施工でき、上床の水平性も十分確保できる免震二重床、及びこの免震二重床を容易に施工できる足部材を提供することを課題とするものである。
【課題を解決するための手段】
【０００９】
〔請求項１〕
本発明は、下床上に多数設置されて上床を支持する二重床の足部材であって、
台部と、台部から立設した支柱と、支柱上部に水平に支持される受板を有し、
該受板上面に球体を回転可能に装備し、該球体の頂部で上床の下面を支持することで、上床が足部材に対してスライド可能となることを特徴とする足部材である。
【００１０】
地震時に、上床が球体の上を水平方向にスライドし、このとき球体が回転するので、上床のスライド抵抗が小さく、十分な免震効果を得ることができる。球体は金属製や硬質樹脂など、ほとんど変形しない材質を使用できるので、上床の水平性が十分確保できる。従来の足部材を、球体を装備できるように改造すればよいので、安価に製造できる。
球体の数は、１個以上何個でもよい。
【００１１】
〔請求項２〕
また本発明は、前記受板の上面に、前記球体の移動を制限する凸部又は凹部を有する請求項１に記載の足部材である。
【００１２】
凸部又は凹部によって球体の位置を制限できるので、受板上の所定の位置に球体を留めることができ、上床をバランスよく支持できる。
【００１３】
〔請求項３〕
また本発明は、下床上に多数設置されて上床を支持する二重床の足部材であって、
台部と、台部から立設した支柱と、支柱上部に水平に支持される受板を有し、
前記台部の底面に球体を回転可能に装備し、該球体の下端が下床面に接することで、足部材が下床上をスライド可能となることを特徴とする足部材である。
【００１４】
球体は、受板上面に代えて、台部の底面に装備させることができる。地震時に、上床及び足部材が下床の上をスライドし、このとき球体が回転するので、上床のスライド抵抗が小さく、十分な免震効果を得ることができる。球体は金属製や硬質樹脂など、ほとんど変形しない材質を使用できるので、上床の水平性が十分確保できる。従来の足部材を、球体を装備できるように改造すればよいので、安価に製造できる。
球体の数は、１個以上何個でもよい。
【００１５】
〔請求項４〕
また本発明は、前記台部の底面に、前記球体の移動を制限する凸部又は凹部を有する請求項３に記載の足部材である。
【００１６】
凸部又は凹部によって球体の位置を制限できるので、台部底面の所定の位置に球体を留めることができ、足部材が下床上にバランスよく支持される。
【００１７】
〔請求項５〕
また本発明は、前記台部の底面が、前記球体の落下を防止するカバーで覆われている請求項３又は４に記載の足部材である。
【００１８】
カバーにより、球体が足部材から落下しないので、足部材を下床の上に配置する作業を容易に行うことができる。
【００１９】
〔請求項６〕
また本発明は、請求項１〜５に記載のいずれかの足部材と、
内面に曲面状凹部を有する上側部材と下側部材が、前記凹部内にタブレット形の転動部材が装入されていることで間隔を有して上下に対向している免震装置を、適宜間隔で下床上に配置し、該足部材及び免震装置により上床を支持することで、地震時に上床が下床に対してスライドすることを特徴とする免震二重床である。
【００２０】
免震装置は高価であるが、本発明の足部材と併用することで、免震二重床を比較的安価に製造できる。本発明の足部材は垂直荷重を下床に伝達し、水平荷重は伝達しないが、免震装置が垂直荷重及び水平荷重を下床に伝達し、振動を減衰させる。
なお、タブレット形とは、中央の上下面が膨らんだ円板形状である。
【００２１】
〔請求項７〕
また本発明は、前記足部材の数が、前記免震装置の数の５倍以上である請求項６に記載の免震二重床である。
【００２２】
本発明の足部材の数は、免震装置の数の５〜１５倍程度とすることができる。
【００２３】
〔請求項８〕
また本発明は、壁の内周に沿って任意幅のスライド不能な外周床を形成し、該外周床と同じ高さの請求項６又は７に記載の免震二重床を、外周床の内側に、所定間隔をあけて形成し、免震二重床と外周床の間をスライドプレートで覆った二重床構造であって、スライドプレートが前記免震二重床に固定されていると共に、前記外周床の内周部を覆っており、地震時に前記免震二重床及びスライドプレートが外周床に対してスライドすることを特徴とする二重床構造である。
【００２４】
地震時に、スライドプレートが上床と一体になってスライドするので、上床及びスライドプレートの上に物を置くことができ、物を置くことができる範囲が非常に広くなる。物を置くことができないのは、外周床上でスライドプレートで覆われていない部分だけである。
【発明の効果】
【００２５】
本発明の免震二重床は、十分な免震効果を有し、安価に施工でき、上床の水平性も十分確保できる。
本発明の二重床構造は、十分な免震効果を有し、安価に施工でき、上床の水平性も十分確保できる上に、物を置ける範囲が非常に広くなる。
本発明の足部材によれば、本発明の免震二重床及び二重床構造を容易に施工することができる。
【図面の簡単な説明】
【００２６】
【図１】実施形態の足部材の上面図及びＡＡ断面図である。
【図２】他の実施形態の足部材の上面図及びＢＢ断面図である。
【図３】他の実施形態の足部材の上面図である。
【図４】他の実施形態の足部材の下面図及びＣＣ断面図である。
【図５】免震装置の上面図及び中央縦断面図である。
【図６】実施形態の二重床構造の説明図である。
【図７】実施形態の二重床構造の断面図である。
【図８】図６における外周床の断面図である。
【図９】他の実施形態の二重床構造の断面図である。
【図１０】他の実施形態の二重床構造の説明図である。
【図１１】図１０の二重床構造の断面図である。
【発明を実施するための形態】
【００２７】
図１は、本発明の実施形態の足部材１の上面図（上段）及びＡＡ断面図（下段）である。
同図において、足部材１は板状の台部１０と、台部１０から立設した支柱１１と、支柱１１上部に水平に支持される受板１２を有する。台部１０と支柱１１下部は、接着、溶接、ねじ込み、嵌め込みなど任意の手段で結合、一体化されている。受板１２の下面にはナット部１２ｃが垂下形成され、これに支柱１１（外周に螺条を有する）が螺着され、高さ調整可能になっている。符号１３は緩み止めナットである。
【００２８】
受板１２の上面は４個の球体１４を回転可能に装備している。受板１２の上面には、外周凸部１２ａ及び中央凸部１２ｂが突出形成され、これにより４個の球体１４の移動が制限され、球体は所定の位置に留まる。後述するように、球体１４の頂部で上床の下面を支持することで、上床が足部材に対してスライド可能となる。
【００２９】
図１の足部材１は、従来周知の二重床用足部材の受台を、球体１４を装備可能なように改造したものである。
【００３０】
図２は、本発明の他の実施形態の足部材１の上面図（上段）及びＢＢ断面図（下段）である。
同図の足部材は、図１の足部材の中央凸部１２ｂに代えて４個の凹部１２ｄを形成したもので、その他は図１の足部材と同じ構成となっている。外周凸部１２ａ及び凹部１２ｄによって４個の球体１４の移動が制限され、球体は所定の位置に留まる。
【００３１】
図３は、本発明の他の実施形態の足部材１の上面図である。台部１０が円形、受板１２が略三角形に形成され、球体１４が３個である他は図１の足部材と同じ構成になっている。
このように、球体の数、台部及び受板の平面形状は任意に変更することができる。
【００３２】
図４は、本発明の他の実施形態の足部材１の下面図（上段）及びＣＣ断面図（下段）である。
同図において、足部材１は概略板状の台部１０と、台部１０から立設した支柱１１と、支柱１１上部に水平に支持される受板１２を有する。台部１０と支柱１１下部は、接着、溶接、ねじ込み、嵌め込みなど任意の手段で結合、一体化されている。受板１２の下面にはナット部１２ｃが垂下形成され、これに支柱１１（外周に螺条を有する）が螺着され、高さ調整可能になっている。符号１３は緩み止めナットである。
【００３３】
台部１０の底面は４個の球体１４を回転可能に装備している。台部１０の底には、外周凸部１０ａが突出形成され、更に４個の凹部１０が形成され、これにより４個の球体１４の移動が制限され、球体は所定の位置に留まる。また、台部１０にはカバー１５が嵌め込まれ、球体１４の落下を防止するように底面がカバー１５で覆われている。カバー１５は４個の丸い穴１５ａを有し、この穴から球体１４の下部が露出している。後述するように、球体１４の下端が下床面に接することで、足部材が下床上をスライド可能となる。
【００３４】
図４の足部材１は、従来周知のＯＡフロア用足部材の台部を、球体１４を装備可能なように改造したものである。
【００３５】
図５は、従来周知の免震装置２の上面図（上段）及び中央縦断面図（下段）である。
免震装置２は、板状の上側部材２１、下側部材２２及びタブレット形の転動部材２３を有する。上側部材２１の内面（下面）及び下側部材の内面（上面）には曲面状凹部２１ａ、２２ａが形成されている。上側部材２１と下側部材２２は、曲面状凹部２１ａ、２２ａの内部にタブレット形の転動部材２３が装入されていることで間隔を有して上下に対向している。
【００３６】
図６〜図８は、本発明の実施形態の二重床構造の説明図である。
この二重床構造は、本発明の足部材１（図１〜３）と、免震装置２（図５）を適宜間隔で下床上に配置し、該足部材及び免震装置により上床を支持することで、地震時に上床が下床に対してスライドする免震二重床を有する。足部材１の間隔は３００〜６００ｍｍ、免震装置の間隔は２〜３ｍ程度が適当である。
【００３７】
足部材１は、図１〜３の任意のものを使用できる。上床４は下地材４０の上に任意の仕上材４３を施工したものである。下地材４０が軟らかい材料である場合は、その足部材１と接触する下面に薄い鉄板などの金属板４１（図７）を貼付することが望ましい。本実施形態の場合、下地材４０は９００ｍｍ×１８００ｍｍのパーティクルボードである。
【００３８】
図６は壁７に囲まれた部屋に施工した二重床構造の説明図で、下地材４０の割り付けと足部材１、免震装置２の配置を示している。丸印が足部材１、四角印が免震装置２の位置である。各下地材４０は対角を結んだ鎖線によって×印が付されている。足部材１は４５０ｍｍ間隔、免震装置は１８００ｍｍ間隔で設置されている。足部材１の数は免震装置２の数の約７倍となっている。
【００３９】
免震装置２の上には高さ調整材として足部材６が固定されている。高さ調整材は任意の構造でよい（例えば図９の木材片６０などでもよい）が、この場合は台部と、台部から立設した支柱と、支柱上部に水平に支持される受板（木材）を有する足部材を使用し、台部は免震装置の上側部材の上面に接着固定され、受板は下地材４０に釘で固定されている。
図９は、二重床下の空間が少ない場合の例で、免震装置２の上の高さ調整材として木材片６０を使用している。
【００４０】
足部材１と免震装置２で支持された免震二重床は、地震時に、上床４が足部材１の球体の上をスライドすると共に、免震装置の上側部材が、転動部材の作用で、下側部材に対して水平方向に移動するため、上床４全体が下床３に対して水平方向にスライド移動し、上床の横揺れが低減される。
【００４１】
壁７の内周に沿って適宜幅（例えば４００ｍｍ）のスライド不能な外周床５を形成している。外周床５は、壁際に固定した際根太５０（集成材）と従来周知の二重床用の足部材５１の上に床板（例えばパーティクルボード）を施工したもので、固定構造であるから地震時にスライドすることはない。
【００４２】
足部材１と免震装置２で支持された免震二重床は、外周床５の内側に所定間隔Ａをあけて形成されている。免震二重床と外周床５の高さは同じであるが、厳密に同じである必要はなく、施工誤差も考慮して高低差５ｍｍ以下であればよい。免震二重床と外周床５の間はスライドプレート５３で覆っている。スライドプレート５３は、例えば厚さ２ｍｍのメッキ鋼板とすることができる。スライドプレート５３の内側部分は釘などで免震二重床に固定されており、外側部分は外周床５の内周部を所定幅Ｂで覆っており、スライドプレート５３の外周部と壁７の間隔はＣとなっている。地震時に、スライドプレート５３は、免震二重床と一体となってスライドするので、免震二重床及びスライドプレート５３の上には物を置くことができ、物を置けない範囲は外周床が露出している間隔Ｃの部分だけで、非常に狭い範囲になっている。免震二重床が地震時にスライド可能な幅は、免震装置２のスライド量、間隔Ａ、間隔Ｃの内の最も小さい幅である。
【００４３】
図１０、図１１は本発明の他の実施形態の二重床構造の説明図である。この二重床構造は、本発明の足部材１（図４）を５００ｍｍ間隔で、免震装置２（図５）を２０００ｍｍ間隔で下床上に配置し、該足部材及び免震装置により上床を支持することで、地震時に上床が下床に対してスライドする免震二重床を有する。下地材は５００ｍｍ角のいわゆるＯＡフロア板４２で、その上に仕上材４３が施工される。足部材１及び免震装置２は、いずれもＯＡフロア板の隅角部に配置される。足部材１の数は免震装置２の数の約７倍となっている。
【００４４】
本実施形態において、足部材１の受板は、従来周知のＯＡフロア用足部材の受板と同じものであるので、ＯＡフロア板の隅角部に固定される。免震装置２の上には高さ調整材として足部材６が固定されている。足部材６は従来周知のＯＡフロア用足部材で、受板がＯＡフロア板の隅角部に固定される。
【００４５】
足部材１と免震装置２で支持された免震二重床は、地震時に、足部材１が球体の作用で下床３の上をスライドすると共に、免震装置の上側部材が、転動部材の作用で、下側部材に対して水平方向に移動するため、上床４全体が下床３に対して水平方向にスライド移動し、上床の横揺れが低減される。
【００４６】
この実施形態において、外周床５及びスライドプレート５２の構成は、前記図６〜図８の実施形態と同じである。
【符号の説明】
【００４７】
１  足部材
１０  台部
１０ａ  外周凸部
１０ｂ  凹部
１１  支柱
１２  受板
１２ａ  外周凸部
１２ｂ  中央凸部
１２ｃ  ナット部
１２ｄ  凹部
１３  緩み止めナット
１４  球体
１５  カバー
１５ａ  穴２ 
２  免震装置
２１  上側部材
２１ａ  曲面状凹部
２２  下側部材
２２ａ  曲面状凹部
２３  転動部材
３  下床
４  上床
４０  下地材
４１  金属板
４２  ＯＡフロア板
４３  仕上材
５  外周床
５０  際根太
５１  足部材
５２  床板
５３  スライドプレート
６  足部材
６０  木材片
７  壁
【図１】
2013234485.tif 000003
【図２】
2013234485.tif 000004
【図３】
2013234485.tif 000005
【図４】
2013234485.tif 000006
【図５】
2013234485.tif 000007
【図６】
2013234485.tif 000008
【図７】
2013234485.tif 000009
【図８】
2013234485.tif 000010
【図９】
2013234485.tif 000011
【図１０】
2013234485.tif 000012
【図１１】
2013234485.tif 000013